(57)【要約】【課題】布基礎用の鉄筋を、型枠支持部に干渉することなく容易に挿入できるとともに、偏心布基礎の形成にも対応できる布基礎用鉄筋ベースおよび布基礎の施工方法を提供する。【解決手段】ベース型枠１１，１１の内側の地盤上に、布基礎用鉄筋ベース２２を型枠支持部２２ｃを外した状態で布基礎Ｋの長手方向に所定間隔で設置し、次に、ベース型枠１１，１１の内側に布基礎Ｋの鉄筋２３を挿入するとともに布基礎用鉄筋ベース２２の支持部２２ｂによって支持するので、この鉄筋２３を型枠支持部２２ｃと干渉することなく、容易にベース型枠１１，１１の内側に挿入できる。また、型枠支持部２２ｃを一方のベース型枠１１側に寄せて、コンクリートを打設することで、偏心基礎を容易に施工できる。【選択図】　　　図１
2004068472.tif 000002
【特許請求の範囲】
【請求項１】
布基礎を施工する際に使用されて、この布基礎の鉄筋を支持する布基礎用鉄筋ベースであって、
基板と、この基板に着脱自在にかつ前記布基礎の厚さ方向における位置を調整可能に取り付けられて、前記布基礎の立上り部を形成する立上り型枠を支持する型枠支持部とを備えていることを特徴とする布基礎用鉄筋ベース。
【請求項２】
請求項１に記載の布基礎用鉄筋ベースにおいて、
前記基板には、前記鉄筋を支持する支持部が立設され、この支持部に、前記型枠支持部が着脱自在にかつ前記布基礎の厚さ方向における位置を調整可能に取り付けられていることを特徴とする布基礎用鉄筋ベース。
【請求項３】
請求項２に記載の布基礎用鉄筋ベースにおいて、
前記支持部は、所定間隔離間して互いに対向する一対の起立部と、これら起立部間に架設されて、前記鉄筋の下端筋を支持する梁部とを備え、
前記型枠支持部は、一対の起立部に対向するようにして形成された貫通孔に、挿通可能となっていることを特徴とする布基礎用鉄筋ベース。
【請求項４】
請求項３に記載の布基礎用鉄筋ベースにおいて、
前記起立部は、前記基板に固定される固定部と、平板状をなし前記固定部から直角に立ち上がる平板部とを備え、この平板部に前記貫通孔が形成されていることを特徴とする布基礎用鉄筋ベース。
【請求項５】
請求項１〜４のいずれか一項に記載の布基礎用鉄筋ベースを用いて布基礎を施工する布基礎の施工方法であって、
地盤上に、布基礎のフーチング部を形成するベース型枠を設置した後、ベース型枠の内側の地盤上に、前記布基礎用鉄筋ベースを前記型枠支持部を外した状態で前記布基礎の長手方向に所定間隔で設置し、
次に、ベース型枠の内側に鉄筋を挿入するとともに前記布基礎用鉄筋ベースによって支持し、
次に、前記布基礎用鉄筋ベースに型枠支持部を取り付けるとともにこの型枠支持部の前記布基礎の厚さ方向における位置を調整し、
次に、前記型枠支持部に布基礎の立上り部を形成する立上り型枠を設置し、
次に、前記ベース型枠の内側および立上り型枠の内側にコンクリートを打設した後、ベース型枠および立上り型枠を脱型することを特徴とする布基礎の施工方法。
【請求項６】
請求項５に記載の布基礎の施工方法において、
前記布基礎用鉄筋ベースに型枠支持部を取り付けるとともに、この型枠支持部の前記布基礎の厚さ方向における位置を調整するに際し、
前記型枠支持部を一方のベース型枠側に寄せることを特徴とする布基礎の施工方法。
【発明の詳細な説明】
【０００１】
【発明の属する技術分野】
本発明は、住宅等の建物の布基礎の鉄筋を支持する布基礎用鉄筋ベースおよびこの布基礎用鉄筋ベースを用いて布基礎を施工する布基礎の施工方法に関する。
【０００２】
【背景の技術】
本出願人は、先に、布基礎用鉄筋ベースを用いて布基礎を施工する布基礎の施工方法を出願している。（特願２００２−７６３３０号）
この布基礎の施工方法では、例えば図１３に示すように、布基礎を施工する地盤上に、布基礎のフーチング部を形成するベース型枠１１，１１を設置した後、このベース型枠１１，１１の内側の地盤上に、鉄筋ベース３０を、布基礎の長手方向に所定間隔で設置するとともに、スペーサブロック２１，２１を、布基礎の長手方向に所定間隔で、かつ各スペーサブロック２１，２１の当接面がベース用型枠１１，１１に当接するようにして設置する。
次に、ベース型枠１１，１１の内側に、布基礎の鉄筋２３を挿入するとともに、この鉄筋２３のベース用心筋２３ｄをスペーサブロック２１の挿入部２１ｂに挿入するとともに、下端筋２３ｂを鉄筋ベース３０の梁部３１に設置することによって布基礎の鉄筋２３を支持する。
次に、鉄筋ベース３０の型枠支持部３２に布基礎の立上り部を形成する立上り型枠（図示略）を設置し、次に、ベース型枠の内側および立上り型枠の内側にコンクリートを打設した後、ベース型枠および立上り型枠を脱型することによって、布基礎を施工するようにしている。
【０００３】
【発明が解決しようとする課題】
ところで、上記のような布基礎の施工方法では、鉄筋ベース３０の型枠支持部３２が外側に張出しているので、布基礎の鉄筋２３をベース型枠１１，１１の内側に挿入する際に、型枠支持部３２が邪魔になり易く、このため、型枠支持部３２との干渉を避けるように、鉄筋２３を全体的に斜めにして挿入しているが、布基礎用の鉄筋２３は正面視略逆Ｔ字状であり、布基礎の長手方向に長尺なものであるため、斜めにした状態で挿入するには作業者に負担をかけるとともに非常に手間がかかっていた。特に布基礎のフーチング部の幅が狭くなると、スペーサブロック２１，２１が鉄筋ベース３０に近付くので、ますます型枠支持部３２が邪魔になり易く、場合によっては、鉄筋２３を挿入できなくなり、この場合、別途狭いフーチング部用の鉄筋ベースを用意する必要があった。
【０００４】
また、布基礎は、フーチング部と、このフーチング部から立ち上がる立上り部とで一体的に形成されており、フーチング部の中心と、立上り部の中心とが一致しているものと、異なっているものがある。異なっているもの、すなわち、フーチング部に対して立上り部がずれている偏心布基礎を、上記のような鉄筋ベース３０を使用して形成するには、立上り型枠を一方のベース型枠１１に寄せることになるが、この場合、フーチング部に対する立上り部のずれ量によっては、寄せた側の立上り型枠を鉄筋ベース３０の型枠支持部３２で支持できない場合があり、この場合、別途偏心布基礎用の鉄筋ベースを容易する必要があった。
【０００５】
本発明は上記事情に鑑みてなされたもので、布基礎用の鉄筋を、型枠支持部に干渉することなく容易に挿入できるとともに、偏心布基礎の形成にも対応できる布基礎用鉄筋ベースおよびこの布基礎用鉄筋ベースを用いて布基礎を施工する布基礎の施工方法を提供することを目的としている。
【０００６】
【課題を解決するための手段】
上記目的を達成するために、請求項１に記載の発明は、例えば図１〜図９に示すように、布基礎Ｋを施工する際に使用されて、この布基礎Ｋの鉄筋２３を支持する布基礎用鉄筋ベース２２であって、
基板２２ａと、この基板２２ａに着脱自在にかつ前記布基礎Ｋの厚さ方向における位置を調整可能に取り付けられて、前記布基礎Ｋの立上り部Ｋ２を形成する立上り型枠２５を支持する型枠支持部２２ｃとを備えていることを特徴とする。
【０００７】
基板２２ａに型枠支持部２２ｃを取り付ける場合、基板２２ａに直接取り付けてもよいし、基板２２ａに、鉄筋を支持する支持部２２ｂ等を介して間接的に取り付けてもよい。
【０００８】
請求項１に記載の発明によれば、地盤上に、布基礎Ｋのフーチング部Ｋ２を形成するベース型枠１１，１１を設置した後、ベース型枠１１，１１の内側の地盤上に、前記布基礎用鉄筋ベース２２を型枠支持部２２ｃを外した状態で布基礎Ｋの長手方向に所定間隔で設置し、次に、ベース型枠１１，１１の内側に布基礎Ｋの鉄筋２３を挿入するとともに布基礎用鉄筋ベース２２によって支持するので、この鉄筋２３を型枠支持部２２ｃと干渉することなく、容易にベース型枠１１，１１の内側に挿入できる。
そして、鉄筋２３を挿入した後、布基礎用鉄筋ベース２２に型枠支持部２２ｃを取り付けるとともにこの型枠支持部２２ｃの布基礎Ｋの厚さ方向における位置を調整し、次に、前記型枠支持部２２ｃに布基礎Ｋの立上り部Ｋ２を形成する立上り型枠２５，２５を設置し、次に、前記ベース型枠１１，１１の内側および立上り型枠２５，２５の内側にコンクリートを打設した後、ベース型枠２１および立上り型枠２５を脱型することによって、布基礎Ｋを施工できる。
【０００９】
また、布基礎用鉄筋ベース２２に型枠支持部２２ｃを取り付けるとともに布基礎Ｋの厚さ方向における位置を調整するに際し、型枠支持部２２ｃを一方のベース型枠１１側に寄せる。そして、この寄せた型枠支持部２２ｃに立上り型枠２５，２５を設置することによって、立上り型枠２５，２５間の中心をベース型枠１１，１１間の中心からずらして容易に設置できる。そして、ベース型枠１１，１１の内側および立上り型枠２５，２５の内側にコンクリートを打設した後、ベース型枠１１および立上り型枠２５を脱型することによって、フーチング部Ｋ１に対して立上り部Ｋ２がずれている偏心布基礎Ｋを容易に施工できる。
【００１０】
請求項２に記載の発明は、請求項１に記載の布基礎用鉄筋ベースにおいて、
前記基板２２ａには、前記鉄筋２３を支持する支持部２２ｂが立設され、この支持部２２ｂに、前記型枠支持部２２ｃが着脱自在にかつ前記布基礎Ｋの厚さ方向における位置を調整可能に取り付けられていることを特徴とする。
【００１１】
請求項２に記載の発明によれば、型枠支持部２２ｃが、基板２２ａに立設され布基礎Ｋの鉄筋２３を支持する支持部２２ｂに取り付けられているので、型枠支持部２２ｃを基板２２ａから所定の高さ位置で、布基礎Ｋの立上り部Ｋ２の鉄筋（上端筋２３ａ、あばら筋２３ｃ）を囲むように設けることができ、よって、フーチング部Ｋ１から立ち上がる立上り部Ｋ２を容易に形成できる。
【００１２】
請求項３に記載の発明は、請求項２に記載の布基礎用鉄筋ベースにおいて、
前記支持部２２ｂは、所定間隔離間して互いに対向する一対の起立部２２ｄ，２２ｄと、これら起立部２２ｄ，２２ｄ間に架設されて、前記鉄筋２３の下端筋２３ｂを支持する梁部２２ｅとを備え、
前記型枠支持部２２ｃは、一対の起立部２２ｄ，２２ｄに対向するようにして形成された貫通孔２２ｈ，２２ｈに、挿通可能となっていることを特徴とする。
【００１３】
請求項３に記載の発明によれば、前記型枠支持部２２ｃが、一対の起立部２２ｄ，２２ｄに対向するようにして形成された貫通孔２２ｈ，２２ｈに挿通可能となっているので、貫通孔２２ｈ，２２ｈから型枠支持部２２ｃを抜き取ることによって、容易に起立部２２ｄ，２２ｄから型枠支持部２２ｃを取り外すことができ、また、挿通することによって、起立部２２ｄ，２２ｄに型枠支持部２２ｃを容易に取り付けることができる。
また、型枠支持部２２ｃを貫通孔２２ｈ，２２ｈに挿通した状態で、左右に移動させることによって、型枠支持部２２ｃの布基礎Ｋの厚さ方向における位置を容易に調整できる。
【００１４】
請求項４に記載の発明は、請求項３に記載の布基礎用鉄筋ベースにおいて、
前記起立部２２ｄは、前記基板２２ａに固定される固定部２２ｆと、平板状をなし前記固定部２２ｆから直角に立ち上がる平板部２２ｇとを備え、この平板部２２ｇに前記貫通孔２２ｈ，２２ｈが形成されていることを特徴とする。
【００１５】
請求項４に記載の発明によれば、固定部２２ｆを基板２２ａに固定することによって平板部２２ｇを基板２２ａに対して確実に直角に起立した状態で固定できる。また、対向する平板部２２ｇ，２２ｇに貫通孔２２ｈ，２２ｈが形成されているので、型枠支持部２２ｃを貫通孔２２ｈ，２２ｈに挿通することによって、安定的に支持できる。
【００１６】
請求項５に記載の発明は、請求項１〜４のいずれか一項に記載の布基礎用鉄筋ベースを用いて布基礎を施工する布基礎の施工方法であって、
地盤上に、布基礎Ｋのフーチング部Ｋ２を形成するベース型枠１１，１１を設置した後、ベース型枠１１，１１の内側の地盤上に、前記布基礎用鉄筋ベース２２を前記型枠支持部２２ｃを外した状態で前記布基礎Ｋの長手方向に所定間隔で設置し、
次に、ベース型枠１１，１１の内側に鉄筋２３を挿入するとともに前記布基礎用鉄筋ベース２２によって支持し、
次に、前記布基礎用鉄筋ベース２２に型枠支持部２２ｃを取り付けるとともにこの型枠支持部２２ｃの前記布基礎Ｋの厚さ方向における位置を調整し、
次に、前記型枠支持部２２ｃに布基礎Ｋの立上り部Ｋ２を形成する立上り型枠２５，２５を設置し、
次に、前記ベース型枠１１，１１の内側および立上り型枠２５，２５の内側にコンクリートを打設した後、ベース型枠１１および立上り型枠２５を脱型することを特徴とする。
【００１７】
請求項５に記載の発明によれば、ベース型枠１１，１１の内側の地盤上に、前記布基礎用鉄筋ベース２２を型枠支持部２２ｃを外した状態で布基礎Ｋの長手方向に所定間隔で設置し、次に、ベース型枠１１，１１の内側に布基礎Ｋの鉄筋２３を挿入するとともに布基礎用鉄筋ベース２２によって支持するので、この鉄筋２３を型枠支持部２２ｃと干渉することなく、容易にベース型枠１１，１１の内側に挿入できる。
そして、鉄筋２３を挿入した後、布基礎用鉄筋ベース２２に型枠支持部２２ｃを取り付けるとともに布基礎Ｋの厚さ方向における位置を調整し、次に、前記型枠支持部２２ｃに布基礎Ｋの立上り部Ｋ２を形成する立上り型枠２５，２５を設置し、次に、前記ベース型枠１１，１１の内側および立上り型枠２５，２５の内側にコンクリートを打設した後、ベース型枠１１および立上り型枠２５を脱型することによって、布基礎Ｋを施工できる。
【００１８】
請求項６に記載の発明は、請求項５に記載の布基礎の施工方法において、
前記布基礎用鉄筋ベース２２に型枠支持部２２ｃを取り付けるとともに、この型枠支持部２２ｃの前記布基礎Ｋの厚さ方向における位置を調整するに際し、
前記型枠支持部２２ｃを一方のベース型枠１１側に寄せることを特徴とする。
【００１９】
請求項６に記載の発明によれば、型枠支持部２２ｃの布基礎Ｋの厚さ方向における位置を調整するに際し、型枠支持部２２ｃを一方のベース型枠１１側に寄せるので、この寄せた型枠支持部２２ｃに立上り型枠２５，２５を設置することによって、立上り型枠２５，２５間の中心をベース型枠１１，１１間の中心からずらして容易に設置できる。そして、ベース型枠１１，１１の内側および立上り型枠２５，２５の内側にコンクリートを打設した後、ベース型枠１１および立上り型枠２５を脱型することによって、フーチング部Ｋ１に対して立上り部Ｋ２がずれている偏心布基礎Ｋを容易に施工できる。
【００２０】
【発明の実施の形態】
以下、図面を参照して本発明の実施の形態について説明する。
（第１の実施の形態）
まず、図２に示すように、布基礎を施工すべき地盤を地表面ＧＬからバックホー等によって溝状に掘削し、この掘削溝の底面に砕石を重機転圧によって敷き込んで締固め、この締固めた地盤１０上に、布基礎のフーチング部形成用のベース型枠１１，１１を互いに平行に設置する。このベース型枠１１は断面略コ字状のものであり、施工すべき布基礎の長手方向に延在するものである。
なお、ベース型枠１１を設置する前に、地盤１０上に地墨（基礎芯）を打つ。
【００２１】
次に、図９に示すように、ベース型枠１１，１１の内側の地盤上に、モルタル層１２を布基礎の長手方向（図１において紙面と直交する方向）に所定間隔で形成する。各モルタル層１２は、その上面１２ａが同高さになるようにして形成する。
次に、図２および図３に示すように、各モルタル層１２の上面に、布基礎の鉄筋を支持する一対のスペーサブロック２１および布基礎用鉄筋ベース２２とを設置する。
スペーサブロック２１は、布基礎の長手方向に延在し、かつ、フーチング部の両端部に配筋されるベース用心筋を支持するものであり、以下のように構成されている。すなわち、スペーサブロック２１は、図３に示すように、モルタル層１２の上面に設置されるブロック本体２１ａと、このブロック本体２１ａの上面に形成された挿入部２１ｂと、当接面２１ｃと、傾斜面２１ｄとを備えている。
【００２２】
前記挿入部２１ｂは、ベース用心筋が挿入されるものであり、ブロック本体２１ａの上面縁部を切り欠いてなる切欠部である。当接面２１ｃはブロック本体２１ａの下面縁から立ち上がりベース型枠１１に当接される面である。傾斜面２１ｄは、当接面２１ｃの上縁から前記ブロック本体２１ａの上面に向けて、ベース型枠１１から離間するように斜め上方に傾斜する面である。
【００２３】
前記鉄筋ベース２２は、図１および図２に示すように、フーチング部の中央部に配筋される下端筋を支持するものであり、前記モルタル層１２に設置される基板２２ａと、この基板２２ａに立設され、布基礎の鉄筋を支持する支持部２２ｂと、この支持部２２ａに着脱自在にかつ布基礎の厚さ方向における位置を調整可能に取り付けられて、布基礎の立上り部を形成する立上り型枠を支持する型枠支持部２２ｃとを備えている。
支持部２２ｂは、所定間隔離間して互いに対向する一対の起立部２２ｄ，２２ｄと、これら起立部２２ｄ，２２ｄ間に架設されて、布基礎の下端筋を支持する梁部２２ｅとを備えている。
【００２４】
起立部２２ｄは、断面略Ｌ字状をなすアングル材で形成されたものであり、基板２２ａに固定される固定部２２ｆと、平板状をなし固定部２２ｆから直角に立ち上がる平板部２２ｇとを備えている。起立部２２ｄ，２２ｄの平板部２２ｇ，２２ｇは対向しており、該平板部２２ｇ，２２ｇには、貫通孔２２ｈ，２２ｈが互いに対向して形成されている。
貫通孔２２ｈ，２２ｈは、型枠支持部２２ｃが挿脱自在に挿通できるような大きさに形成されている。型枠支持部２２ｃは、鉄筋で形成されたものであり、その長さは基板２２ａの長辺の長さとほぼ等しくなっている。なお、型枠支持部２２ｃは、貫通孔２２ｈ，２２ｈに挿入された状態で、左右方向に摺動可能となっている。
そして、このような構成の鉄筋ベース２２では、型枠支持部２２ｃを貫通孔２２ｈ，２２ｈに挿通することによって、平板部２２ｇ，２２ｇに着脱自在にかつ布基礎の厚さ方向における位置を調整可能に取り付けられるようになっている。
【００２５】
各モルタル層１２の上面に、一対のスペーサブロック２１および鉄筋ベース２２とを設置する場合、まず、図２および図９に示すように鉄筋ベース２２をモルタル層１２の上面中央部に設置する。この場合、地盤１０上に打った地墨（基礎芯）に鉄筋ベース２２のセンターを合わせて設置する。また、鉄筋ベース２２を設置する際には、鉄筋ベース２２から型枠支持部２２ｃを取り外した状態としておく。
次に、図３に示すように、スペーサブロック２１，２１をモルタル層１２の上面に鉄筋ベース２２を挟むようにして設置する。この場合、スペーサブロック２１の当接面２１ｃをベース型枠１１に当接することで、スペーサブロック２１の位置決め（ベース型枠１１，１１間における位置決め）を行う。このようにして、スペーサブロック２１，２１と鉄筋ベース２２とをモルタル層１２上に設置する。
なお、本実施の形態では、鉄筋ベース２２を設置した後、スペーサブロック２１，２１を設置したが、逆にスペーサブロック２１，２１を設置した後、鉄筋ベース２２を設置してもよい。
【００２６】
次に、図４に示すように、ベース型枠１１，１１間に、布基礎用の鉄筋２３を上方から挿入する。この鉄筋２３は布基礎の長手方向に延在するものであり、布基礎の長手方向に延在する上端筋２３ａ、下端筋２３ｂ、上端筋２３ａと下端筋２３ｂとに架設されたあばら筋２３ｃ、下端筋２３ｂと平行に配筋されたベース用心筋２３ｄ，２３ｄ、ベース用心筋２３ｄ，２３ｄに架設されたベース筋２３ｅ等から構成されている。ベース筋２３ｅには、下端筋２３ｂの下側を通る直線状のものと、下端筋２３ｂの上側を通る山形状の２種類がある。
なお、あばら筋２３ｃおよびベース筋２４ｅはそれぞれ布基礎の長手方向に所定間隔で配置されている。また、鉄筋２３は予め工場等で所定長さに組立てられたものであり、現場でジョイント筋等を用いて接続される。接続する場合、隣接する鉄筋２３の上端筋２３ａどうし、下端筋２３ｂどうし、ベース用心筋２３ｄどうしをそれぞれ接続する。
そして、ベース用心筋２３ｄ，２３ｄをスペーサブロック２１の挿入部２１ｂ，２１ｂに上方から挿入するとともに、下端筋２３ｂを鉄筋ベース２２の梁材２２ｃ上に設置することによって、鉄筋２３全体を支持する。これによって、鉄筋２３は水平に支持され、かつ、コンクリートの被り厚を確保できるような位置に位置決めされる。
【００２７】
次に、図５に示すように、鉄筋ベース２２の支持部２２ｂに型枠支持部２２ｃを取り付けるとともに、この型枠支持部２２ｃの布基礎の厚さ方向における位置を調整する。型枠支持部２２ｃを取り付けるには、対向している起立部２２ｄ，２２ｄの平板部２２ｇ，２２ｇに形成されている貫通孔２２ｈ，２２ｈに、型枠支持部２２ｃを挿通し、この型枠支持部２２ｃの長手方向における中央部が平板部２２ｇ，２２ｇ間の中央部と一致するようにして調整する。
なお、型枠支持部２２ｃの位置調整が終了したら、型枠支持部２２ｃを平板部２２ｇ，２２ｇに対して固定する。この固定は例えば、型枠支持部２２ｃの両端からリングを外挿し、これらリングをそれぞれ平板部２２ｇ，２２ｇに当接したうえで、リングを型枠支持部２２ｃの外周に固定すればよい。また、型枠支持部２２ｃの固定はこれに限るものではなく、型枠支持部２２ｃと平板部２２ｇを現場で溶接したり、型枠支持部２２ｃの外周部と貫通孔２２ｈの内周部との間に楔等を打ち込んで固定してもよい。
【００２８】
上記のようにして支持部２２ｂに型枠支持部２２ｃを取り付けた後、図６に示すように、型枠支持部２２ｃの両端部にそれぞれ、布基礎の立上り部を形成する立上り型枠２５，２５を設置する。この立上り型枠２５は断面略コ字状をなし布基礎の長手方向に延在するもので、その上端面は鉄筋２３の上端筋２３ａより高くなっており、これによって上端筋２３ａのコンクリートの被り厚を確保できるようになっている。
【００２９】
次に、図７に示すように、ベース型枠１１，１１の内側および立上り型枠２５，２５の内側にコンクリートＣを打設する。この場合、ベース型枠１１，１１の内側には、コンクリートＣをその上端が鉄筋ベース２２の型枠支持部２２ｃと面一になるように打設し、立上り型枠２５，２５の内側には、その上端面とほぼ面一になるように打設する。
コンクリートＣを打設すると、このコンクリートＣは、スペーサブロック２１，２１の上面、挿入部２１ｂ，２１ｂ、傾斜面２１ｄ，２１ｄ、傾斜面と反対側の側面２１ｅに定着する。その際、鉄筋２３は、そのベース用心筋２３ｄ，２３ｄが、スペーサブロック２１，２１の挿入部２１ｂ，２１ｂに挿入されているので、挿入部２１ｂ，２１ｂによって確実に位置決めされるとともに保持される。したがって、ベース用心筋２３ｄ，２３ｄを含む鉄筋２３は、コンクリートＣの打設圧によって移動するとがなく、確実に位置決め固定できる。
【００３０】
最後に、コンクリートＣを所定期間養生させた後、図８に示すように、ベース型枠１１，１１と立上り型枠２５，２５を脱型することによって、フーチング部Ｋ１と、このフーチング部Ｋ１の中央部から立上がる立上り部Ｋ２とからなる布基礎Ｋが完成する。
【００３１】
本実施の形態の形態によれば、以下のような効果を得ることができる。
▲１▼布基礎Ｋのフーチング部Ｋ１を形成するベース型枠１１，１１を設置した後、ベース型枠１１，１１の内側の地盤上に、布基礎用鉄筋ベース２２を型枠支持部２２ｃを外した状態で布基礎Ｋの長手方向に所定間隔で設置し、次に、ベース型枠１１，１１の内側に布基礎Ｋの鉄筋２３を挿入するとともに布基礎用鉄筋ベース２２の支持部２２ｂによって支持するので、この鉄筋２３を型枠支持部２２ｃと干渉することなく、容易にベース型枠１１，１１の内側に上方から挿入できる。
▲２▼型枠支持部２２ｃが鉄筋で形成されており、この型枠支持部２２ｃが、一対の起立部２２ｄ，２２ｄの平板部２２ｇ，２２ｇに対向するようにして形成された貫通孔２２ｈ，２２ｈに挿通可能となっているので、貫通孔２２ｈ，２２ｈから型枠支持部２２ｃを抜き取ることによって、容易に起立部２２ｄから型枠支持部２２ｃを取り外すことができ、また、挿通することによって、起立部２２ｃに型枠支持部２２ｃを容易に取り付けることができる。
また、型枠支持部２２ｃを貫通孔２２ｈ，２２ｈに挿通した状態で、左右に移動させることによって、型枠支持部２２ｃの布基礎の厚さ方向における位置を容易に調整できる。
▲３▼起立部２２ｄが、固定部２２ｆと平板部２２ｇとで構成されているので、固定部２２ｆを基板２２ａに固定することによって平板部２２ｇを基板２２ａに対して確実に直角に起立した状態で固定できる。また、対向する平板部２２ｇ，２２ｇに貫通孔２２ｈ，２２ｈが形成されているので、型枠支持部２２ｃを貫通孔２２ｈ，２２ｈに挿通することによって、安定的に支持できる。
▲４▼施工すべき布基礎Ｋの長手方向に所定間隔で、複数のモルタル層１２をそれらの上面が同高さになるようにして形成し、各モルタル層１２の上面に、スペーサブロック２１と鉄筋ベース２２とをそれぞれ設置するので、布基礎Ｋの長手方向に所定間隔で設置された複数のスペーサブロック２１、鉄筋ベース２２を安定的かつ同じ高さに設置できる。
▲５▼鉄筋ベース１１をベース型枠１１，１１間の中央部に配置されるようにしてモルタル層１２上に設置するので、フーチング部Ｋ１の中央部に配筋される下端筋２３ｂを確実に支持できる。
▲６▼スペーサブロック２１を、その当接面２１ｃがベース型枠１１に当接するようにしてモルタル層１２上に設置するので、ベース型枠１１を基準としてスペーサブロック２１の布基礎Ｋの厚さ方向における位置決めを容易かつ確実に行うことができるとともに、フーチング部Ｋ１の両端部に配筋されるベース用心筋２３ｄ，２３ｄを確実に支持できる。
▲７▼スペーサブロック２１は、当接面２１ｃの上縁からブロック本体２１ａの上面に向けて、ベース型枠１１から離間するように斜め上方に傾斜する傾斜面２１ｄを備えており、打設されたコンクリートＣはこの傾斜面２１ｄに定着するので、コンクリートＣとの定着面積を確保できる。つまり、傾斜面２１ｄがなく、スペーサブロックの側面が当接面と面一である場合は、側面がコンクリートＣに定着しないので、所定大きさの定着面積を確保できないが、本実施の形態では傾斜面２１ｄによって定着面積を確保できる。
【００３２】
（第２の実施の形態）
図１０および図１１は本発明の第２の実施の形態を示すものである。これらの図に示す第２の実施の形態が、上述した第１の実施の形態と異なる点は、偏心基礎を施工する点であり、使用するベース型枠１１，１１、鉄筋ベース２２、スペーサブロック２１，２１、立上り型枠２５，２５、鉄筋２３等は同じであるので、同一符号を付してその説明を省略する。
【００３３】
本実施の形態の布基礎の施工方法は、第１の実施の形態と同様に、ベース型枠１１，１１の内側の地盤上に、モルタル層１２を布基礎の長手方向（図１０において紙面と直交する方向）に所定間隔で形成し、これらモルタル層１２に基礎用鉄筋ベース２２，２２を型枠支持部２２ｃを外した状態で前記布基礎の長手方向に所定間隔で設置し、次に、ベース型枠１１，１１の内側に鉄筋２３を挿入するとともに布基礎用鉄筋ベース２２の支持部２２ｂによって支持し、次に、支持部２２ｂに型枠支持部２２ｃを取り付けるとともにこの型枠支持部２２ｃの布基礎の厚さ方向における位置を調整している。
【００３４】
そして、型枠支持部２２ｃの布基礎の厚さ方向における位置を調整するに際し、型枠支持部２２ｃを一方のベース型枠１１側に寄せる。図１０においては右側のベース型枠１１側に寄せる。
次に、一方のベース型枠１１側に寄せた型枠支持部２２ｃの両端部にそれぞれ布基礎の立上り部を形成する立上り型枠２５，２５を設置する。これによって、立上り型枠２５，２５間の中心が、ベース型枠１１，１１間の中心より右側にずれる。
次に、ベース型枠１１，１１の内側および立上り型枠２５，２５の内側にコンクリートＣを打設した後、ベース型枠１１，１１および立上り型枠２５，２５を脱型することによって、フーチング部Ｋ１に対して立上り部Ｋ２がずれている偏心布基礎Ｋを形成する。
【００３５】
このように、本実施の形態の布基礎の施工方法によれば、型枠支持部２２ｃの布基礎の厚さ方向における位置を調整するに際し、型枠支持部２２ｃを一方のベース型枠１１側に寄せ、この寄せた型枠支持部２２ｃに立上り型枠２５，２５を設置することによって、立上り型枠２５，２５間の中心をベース型枠１１，１１間の中心からずらして容易に設置できる。したがって、ベース型枠１１，１１の内側および立上り型枠２５，２５の内側にコンクリートを打設した後、これら型枠１１，２５を脱型することによって、偏心布基礎を容易に施工できる。
【００３６】
（第３の実施の形態）
図１２は本発明の第３の実施の形態を示すものである。この第３の実施の形態も偏心基礎を施工するものであるが、上述した第２の実施の形態と異なる点は、偏心量が第２実施の形態に比して大きくなっている点である。したがって、以下ではこの点を中心に説明し、共通する部分については同一符号を付してその説明を簡略化ないし省略する。
【００３７】
本実施の形態の布基礎の施工方法では、第２の実施の形態と同様に、まず、ベース型枠１１，１１の内側の地盤上に、モルタル層１２を布基礎の長手方向（図１０において紙面と直交する方向）に所定間隔で形成する。この場合、一方（図１２では右側）のベース型枠１１を、施工すべき布基礎Ｋの立上り部Ｋ２の中心から大きく右側に離間させて設置したうえで、両ベース型枠１１，１１の内側の地盤上にモルタル層１２を形成する。
次に、モルタル層１２上に、布基礎用鉄筋ベース２２を型枠支持部２２ｃを外した状態で、左側のベース型枠１１に寄せて設置するとともに、スペーサブロック２１を右側のベース型枠１１の内側に設置した後、ベース型枠１１，１１の内側に鉄筋２３を挿入するとともに布基礎用鉄筋ベース２２の支持部２２ｂによって支持する。鉄筋２３は、そのベース筋２３ｅがスペーサブロック２１まで延在するもので、ベース筋２３ｅの先端部に直交して連結されているベース用心筋２３ｄがスペーサブロック２１の挿入部２１ｂに挿入されて支持される。
【００３８】
次に、支持部２２ｂに型枠支持部２２ｃを取り付けるとともにこの型枠支持部２２ｃの布基礎の厚さ方向における位置を調整した後、この型枠支持部２２ｃの両端部にそれぞれ布基礎の立上り部を形成する立上り型枠２５，２５を設置する。このようにして立上り型枠２５，２５を設置することによって、立上り型枠２５，２５間の中心は、ベース型枠１１，１１間の中心より左側に大きくずれている。
次に、ベース型枠１１，１１の内側および立上り型枠２５，２５の内側にコンクリートＣを打設した後、ベース型枠１１，１１および立上り型枠２５，２５を脱型することによって、フーチング部Ｋ１に対して立上り部Ｋ２がずれている偏心布基礎Ｋを形成する。
【００３９】
このように本実施の形態によれば、左側のベース型枠１１に寄せて布基礎用鉄筋ベース２２を設置し、この布基礎用鉄筋ベース２２に取り付けた型枠支持部２２ｃによって、立上り型枠２５，２５を支持したので、ベース型枠１１，１１の内側および立上り型枠２５，２５の内側にコンクリートを打設した後、これら型枠１１，２５を脱型することによって、偏心布基礎を容易に施工できる。
【００４０】
なお、第１〜第３の実施の形態では、基板２２ａに断面Ｌ字状の起立部２２ｄ，２２ｄを固定した鉄筋ベース２２を使用したが、鉄筋ベース２２はこのような構成に限ることはなく、基板に設けられて、鉄筋を支持する支持部と、この支持部に、着脱自在にかつ布基礎の厚さ方向における位置を調整可能に取り付けられた型枠支持部を備えていれば、どのような構成のものでもよい。
【００４１】
【発明の効果】
以上説明したように、請求項１に記載の発明によれば、布基礎用鉄筋ベースを型枠支持部を外した状態で設置し、次に、ベース型枠の内側に布基礎の鉄筋を挿入するとともに布基礎用鉄筋ベースによって支持するので、この鉄筋を型枠支持部と干渉することなく、容易にベース型枠の内側に挿入できる。
また、型枠支持部を一方のベース型枠側に寄せ、この寄せた型枠支持部に立上り型枠を設置することによって、立上り型枠の中心をベース型枠の中心からずらして容易に設置できるので、フーチング部に対して立上り部がずれている偏心布基礎を容易に施工できる。
【００４２】
請求項２に記載の発明によれば、型枠支持部が、基板に立設された支持部に取り付けられているので、型枠支持部を基板から所定の高さ位置で、布基礎の立上り部の鉄筋を囲むように設けることができ、よって、フーチング部から立ち上がる立上り部を容易に形成できる。
【００４３】
請求項３に記載の発明によれば、起立部に形成された貫通孔から型枠支持部を抜き取ることによって、容易に起立部から型枠支持部を取り外すことができ、また、挿通することによって、起立部に型枠支持部を容易に取り付けることができる。
また、型枠支持部を貫通孔に挿通した状態で、左右に移動させることによって、型枠支持部の布基礎の厚さ方向における位置を容易に調整できる。
【００４４】
請求項４に記載の発明によれば、固定部を基板に固定することによって平板部を基板に対して確実に直角に起立した状態で固定できる。また、対向する平板部に形成された貫通孔に型枠支持部を挿通することによって、この型枠支持部を安定的に支持できる。
【００４５】
請求項５に記載の発明によれば、請求項１と同様に、鉄筋を型枠支持部と干渉することなく、容易にベース型枠の内側に挿入できる。
【００４６】
請求項６に記載の発明によれば、型枠支持部を一方のベース型枠側に寄せるので、この寄せた型枠支持部に立上り型枠を設置することによって、立上り型枠の中心をベース型枠の中心からずらして容易に設置でき、よって、フーチング部に対して立上り部がずれている偏心布基礎を容易に施工できる。
【図面の簡単な説明】
【図１】本発明の布基礎用鉄筋ベースの一例を示す斜視図である。
【図２】本発明の布基礎の施工方法の第１実施の形態を示すものであり、モルタル層上に鉄筋ベースを設置した状態を示す断面図である。
【図３】同、モルタル層上に鉄筋ベースとスペーサブロックを設置した状態を示す断面図である。
【図４】同、鉄筋ベースとスペーサブロックに鉄筋を支持した状態を示す断面図である。
【図５】同、鉄筋ベースに型枠支持部を取り付けた状態を示す断面図である。
【図６】同、型枠支持部に立上り型枠を設置した状態を示す断面図である。
【図７】同、型枠内にコンクリートを打設した状態を示す断面図である。
【図８】同、型枠を脱型して完成した布基礎の断面図である。
【図９】同、モルタル層上に鉄筋ベースを設置した状態を示す断面図である。
【図１０】本発明の布基礎の施工方法の第２実施の形態を示すものであり、型枠内にコンクリートを打設した状態を示す断面図である。
【図１１】同、型枠を脱型して完成した布基礎の断面図である。
【図１２】本発明の布基礎の施工方法の第３実施の形態を示すものであり、型枠内にコンクリートを打設した状態を示す断面図である。
【図１３】従来の布基礎の施工方法の一例を示す断面図である。
【符号の説明】
Ｋ　布基礎
Ｋ１　フーチング部
Ｋ２　立上り部
１１　ベース型枠
２２　鉄筋ベース
２２ａ　基板
２２ｂ　支持部
２２ｃ　型枠支持部
２２ｄ　起立部
２２ｅ　梁部
２２ｆ　固定部
２２ｇ　平板部
２２ｈ　貫通孔
２３　鉄筋
２３ｂ　下端筋
２５　立上り型枠
【図１】
2004068472.tif 000003
【図２】
2004068472.tif 000004
【図３】
2004068472.tif 000005
【図４】
2004068472.tif 000006
【図５】
2004068472.tif 000007
【図６】
2004068472.tif 000008
【図７】
2004068472.tif 000009
【図８】
2004068472.tif 000010
【図９】
2004068472.tif 000011
【図１０】
2004068472.tif 000012
【図１１】
2004068472.tif 000013
【図１２】
2004068472.tif 000014
【図１３】
2004068472.tif 000015